(57)【要約】【課題】照明機器の故障の検知に掛かる時間を短縮することを目的としている。【解決手段】空間を照明する照明機器全てに対して点灯指示を行った後に、前記空間の照度を検出する照度検出部から取得した照度データを用いて、前記空間の照度分布を作成する照度分布作成部と、前記照度分布と、前記照明機器全てを点灯させて前記照度検出部から取得した照度データを用いて作成した基準照度分布と、を比較した結果から、故障した照明機器が配置されたエリアを特定する故障判定部と、を有する。【選択図】図１９
2016178043.tif 000002
【特許請求の範囲】
【請求項１】
空間を照明する照明機器全てに対して点灯指示を行った後に、前記空間の照度を検出する照度検出部から取得した照度データを用いて、前記空間の照度分布を作成する照度分布作成部と、
前記照度分布と、前記照明機器全てを点灯させて前記照度検出部から取得した照度データを用いて作成した基準照度分布と、を比較した結果から、故障した照明機器が配置されたエリアを特定する故障判定部と、を有する制御装置。
【請求項２】
前記故障判定部は、
特定された前記エリアに配置された照明機器について、１の照明機器ずつ、点灯指示を行って前記照度検出部から照度データを取得し、
前記照度データの変化が所定範囲内であった場合に、前記点灯指示を行った照明機器を故障と判定する請求項１記載の制御装置。
【請求項３】
前記空間における外光の影響の有無を判定する際の境界を検出する外光境界検出部を有し、
前記外光境界検出部は、
前記空間における配置に基づきグループ化された前記照度検出部から、前記グループ毎の照度の平均値を算出し、
前記空間において、前記外光の差し込み部に近いグループから順に、隣接する２つのグループの前記照度の平均値を比較し、
前記照度の平均値が所定値以下となったとき、前記２つのグループの間を前記境界として検出する請求項１又は２記載の制御装置。
【請求項４】
前記空間のうち、前記境界より前記差し込み部に近いエリアを前記外光の影響が有るエリアと判定し、前記境界より前記差し込み部に遠いエリアを前記外光の影響が無いエリアと判定するエリア判定部を有し、
前記照度分布作成部は、
前記外光の影響が無いエリアと判定されたエリアについて、前記照度分布を作成する請求項３記載の制御装置。
【請求項５】
前記空間における外光の影響を補正する外光補正部を有し、
前記外光補正部は、
前記照明機器全てを消灯させた後に、前記照度検出部から第一の照度データを取得し、
前記第一の照度データを取得した後に、前記照明機器全てに対して点灯指示を行って、前記照度検出部から第二の照度データを取得し、
前記第二の照度データから前記第一の照度データを減算した差分照度データを算出し、
前記照度分布作成部は、
前記差分照度データを用いて前記照度分布を作成する請求項１又は２記載の制御装置。
【請求項６】
空間を照明する照明機器と、前記照明機器の一部又は全部に前記照明機器と一体に設けられた照度検出部と、前記照明機器を制御する制御装置と、を有する制御システムであって、
前記照明機器全てに対して点灯指示を行った後に、前記照度検出部から取得した照度データを用いて、前記空間の照度分布を作成する照度分布作成部と、
前記照度分布と、前記照明機器全てを点灯させて前記照度検出部から取得した照度データを用いて作成した基準照度分布と、を比較した結果から、故障した照明機器が配置されたエリアを特定する故障判定部と、を有する制御システム。
【請求項７】
空間を照明する照明機器を制御する第一の制御装置と、前記第一の制御装置と通信する第二の制御装置と、を有する制御システムであって、
前記照明機器の一部又は全部に前記照明機器と一体に設けられた照度検出部から、照度データを取得するデータ取得部と、
前記照明機器全てに対して点灯指示を行った後に、前記照度検出部から取得した照度データを用いて、前記空間の照度分布を作成する照度分布作成部と、
前記照度分布と、前記照明機器全てを点灯させて前記照度検出部から取得した照度データを用いて作成した基準照度分布と、を比較した結果から、故障した照明機器が配置されたエリアを特定する故障判定部と、を有する制御システム。
【発明の詳細な説明】
【技術分野】
【０００１】
本発明は、照明機器を制御する制御装置及び制御システムに関する。
【背景技術】
【０００２】
近年では、様々な機能を有する照明機器が普及しつつある。その例として、例えば、照度センサを搭載し、室内の明るさによって、照明機器が発する光の明るさを変化させる調光機能を有する照明機器が知られている。また、他の例として、照明機器の照度を確認し、著しく照度が低い照明機器を故障と判別する故障検知機能を有する照明機器が知られている。故障検知機能を有する照明機器は、照明機器毎に照度を確認して故障を判別する。
【発明の概要】
【発明が解決しようとする課題】
【０００３】
従来では、照明機器の故障を検知する場合には、照明機器毎に照度を確認している。このため、例えばオフィス等のように多数の照明機器が設置されている場合には、全ての照明機器について順次照度を確認することになり、故障を検知するまでに時間がかかる。
【０００４】
開示の技術は、照明機器の故障の検知に掛かる時間を短縮することを目的としている。
【課題を解決するための手段】
【０００５】
開示の技術は、空間を照明する照明機器全てに対して点灯指示を行った後に、前記空間の照度を検出する照度検出部から取得した照度データを用いて、前記空間の照度分布を作成する照度分布作成部と、前記照度分布と、前記照明機器全てを点灯させて前記照度検出部から取得した照度データを用いて作成した基準照度分布と、を比較した結果から、故障した照明機器が配置されたエリアを特定する故障判定部と、を有する。
【発明の効果】
【０００６】
照明機器の故障の検知に掛かる時間を短縮できる。
【図面の簡単な説明】
【０００７】
【図１】制御システムのシステム構成の一例を示す図である。
【図２】照明機器、タップ、空調機の設置例を示す図である。
【図３】人感センサによる人の検知を説明する図である。
【図４】照度センサによる照度データの取得を説明する図である。
【図５】センサモジュールを説明する図である。
【図６】照明機器を説明する図である。
【図７】センサモジュールと、照明機器とを一体化させた例を示す図である。
【図８】一体化ユニットの構成を説明する図である。
【図９】一体化ユニットの有する人感センサの検知方向を説明する図である。
【図１０】照明機器の配置の例を示す図である。
【図１１】制御サーバのハードウェア構成の一例を示す図である。
【図１２】第一の実施形態の制御サーバの機能構成を説明する図である。
【図１３】照明配置データベースの一例を示す図である。
【図１４】照度データデータベースの一例を示す図である。
【図１５】照度分布データベースの一例を示す図である。
【図１６】第一の実施形態の照明制御部の機能を説明する図である。
【図１７】第一の実施形態における基準照度分布データを作成する処理を説明するフローチャートである。
【図１８】第一の実施形態の故障検知部の処理を説明するフローチャートである。
【図１９】基準照度分布と照度分布の例を示す図である。
【図２０】第二の実施形態の故障検知部の処理を説明するフローチャートである。
【図２１】第三の実施形態の照明制御部の機能を説明する図である。
【図２２】外光の影響が大きいエリアと、外光の影響が小さいエリアの境界を説明する図である。
【図２３】第三の実施形態の外光境界検出部の処理を説明するフローチャートである。
【図２４】第三の実施形態の故障検知部の処理を説明するフローチャートである。
【図２５】第四の実施形態の照明制御部の機能を説明する図である。
【図２６】外光補正部による補正を説明する図である。
【図２７】第四の実施形態の故障検知部の処理を説明するフローチャートである。
【図２８】第五の実施形態の制御システムのシステム構成の一例を示す図である。
【図２９】第五の実施形態の制御システムの各装置の有する機能を説明する図である。
【発明を実施するための形態】
【０００８】
以下に図面を参照して実施形態について説明する。図１は、制御システムのシステム構成の一例を示す図である。
【０００９】
制御システム１００は、制御サーバ２００、センサモジュール１０、電流センサ４００、照明機器５００、タップ６００、空調機７００を有する。
【００１０】
制御システム１００において、制御サーバ２００と、センサモジュール１０、電流センサ４００、照明機器５００、タップ６００、空調機７００とは、ネットワークＮを介して接続されている。また、制御サーバ２００は、ＰＣ８００とネットワークＮを介して接続されていても良い。ＰＣ８００は、例えば制御サーバ２００を管理する管理者等により使用されても良い。
【００１１】
制御サーバ２００は、センサモジュール１０及び電流センサ４００から取得したデータに基づき、照明機器５００、タップ６００、空調機７００を制御する。
【００１２】
センサモジュール１０は、人感センサ２５１、照度センサ３００、温湿度センサ３５０を有する。
【００１３】
人感センサ２５１は、赤外線等を検知することにより部屋内の人の有無を検出するサーモパイル型のセンサである。人感センサ２５１は、制御サーバ２００に接続されており、検出された人の有無データは、ネットワークＮを介して制御サーバ２００に送信される。
【００１４】
照度センサ３００は、部屋の明るさを検出するセンサである。温湿度センサ３５０は、部屋の温湿度を検出するセンサである。照度センサ３００と温湿度センサ３５０とは、検出したデータを、ネットワークＮを介して制御サーバ２００に送信される。
【００１５】
電流センサ４００は、照明機器５００、タップ６００、空調機７００に対して電力を供給する電源と接続されている。電流センサ４００は、電流量を検出し、検出した電流量のデータを、ネットワークＮを介して制御サーバ２００に送信する。
【００１６】
尚、制御サーバ２００は、上述した各センサと、照明機器５００、タップ６００、空調機７００のそれぞれと、例えば、Ｗｉ−Ｆｉ等の無線通信ネットワークで接続されていても良い。ただし通信方式は、Ｗｉ−Ｆｉに限定されるものではなく、その他の無線通信方式を利用しても良い。Ｅｔｈｅｒｎｅｔ（登録商標）ケーブルやＰＬＣ（Ｐｏｗｅｒ Ｌｉｎｅ Ｃｏｍｍｕｎｉｃａｔｉｏｎｓ）等の有線通信方式を利用することもできる。
【００１７】
照明機器５００は、例えばＬＥＤ照明を用いた照明機器である。タップ６００は、複数の機器に電源を供給するための器具である。空調機７００は、人間の快適性の向上目的や、生産、管理、貯蔵といった物品を扱う上での産業目的で、ある場所の空気の温度や湿度、清浄度、気流などを調整する機器である。
【００１８】
以下に、図２を参照して照明機器５００、タップ６００、空調機７００の室内における設置例について説明する。図２は、照明機器、タップ、空調機の設置例を示す図である。
【００１９】
図２の例では、室内には、６個の机で１つのグループが形成され、３つのグループが設けられている。照明機器５００とタップ６００は、１つの机に対してそれぞれ１つが設けられている。一方、空調機７００は、２つのグループの間に１つずつ設けられている。
【００２０】
尚、図２に示す照明機器５００、タップ６００、空調機７００の配置は一例であり、これに限定されるものではない。また、本実施形態では、例えば室外に設置された系統電力計測機器により、室内の全電力の総和を把握できるようになっている。
【００２１】
室内では、１８名のユーザが特定の業務活動を実施することが可能であり、室外への出入りは、２つの扉で行われる。尚、図２の例では、レイアウトや機器類やユーザ数等を限定しているが、より多種多様なレイアウト並びに機器類へ適用することできる。
【００２２】
照明機器５００、タップ６００、空調機７００のそれぞれは、制御サーバ２００により遠隔制御される。
【００２３】
照明機器５００は、制御サーバ２００により、照明範囲と照度が制御される。より具体的には、照明機器５００は、個別に遠隔制御可能なオン／オフスイッチが設置されており、Ｗｉ−Ｆｉによる無線制御方式により、スイッチのオン／オフが制御される。
【００２４】
照明機器５００は、低消費電力性を考慮して調光機能付きのＬＥＤ灯を利用しても良い。この場合、制御サーバ２００は、照明機器５００の調光機能に関してもＷｉ−Ｆｉ経由で遠隔制御を行っても良い。
【００２５】
尚、照明機器５００は、ＬＥＤ照明を用いたものに限定されない。照明機器５００は、例えば、白熱灯や蛍光灯等を用いたものも含む。
【００２６】
空調機７００は、制御サーバ２００により、電源のオン／オフが制御される。空調機７００は、個別に遠隔制御を行うことが可能であり、電源のオン／オフに加えて、風向き、送風強度等も制御される。また、空調機７００は、送風する風の温度や湿度についても制御されてもよい。
【００２７】
タップ６００は、複数のタップ口を備えたものであり、各タップ口は電源供給のオンオフが制御サーバ２００により制御される。タップ６００は、タップ口単位に個別に遠隔制御可能なオン／オフスイッチが設けられており、Ｗｉ−Ｆｉによる無線制御方式で制御サーバ２００にオン／オフが制御される。
【００２８】
尚、図２では、制御サーバ２００による制御対象である照明機器５００、タップ６００、空調機７００は室内に設けられたものとしたが、これに限定されない。制御サーバ２００の制御対象となる機器は、屋外に設置されていても良い。
【００２９】
次に、図３を参照し、人感センサ２５１による人の検知について説明する。図３は、人感センサによる人の検知を説明する図である。
【００３０】
図３では、人感センサ２５１を、４×４素子（画素）を備えるサーモパイル型センサとし、１６分割したエリア毎に人の在／不在や人の位置を検出する例を示している。尚、図３では、人感センサ２５１は、室内の天井に設けられている。
【００３１】
人感センサ２５１は、エリア毎に温度を検知し、人がいる場合は画素を有効（「１」）とし、人がいない場合は画素を無効（「０」）として、人の在／不在を表す簡素化したデータを例えば無線機３０に転送する。データは無線機から制御サーバ２００に転送される。
【００３２】
制御サーバ２００は、物品及び構造物に対する発熱体の相対位置情報を取得する発熱体相対位置情報取得部を備えており、制御サーバ２００に保存された室内レイアウトデータと照合し、室内のどの場所に発熱体、すなわち人がいるかを特定する。
【００３３】
次に、図４を参照し、照度センサ３００による照度データの取得について説明する。図４は、照度センサによる照度データの取得を説明する図である。
【００３４】
図４では、照度センサ３００は、室内の天井に設けられており、自身の下側の空間（照度検知エリア）の照度データを取得する。取得された照度データは、例えば無線機３０に転送され、制御サーバ２００に転送される。
【００３５】
照度センサ３００は、定期的に取得した照度データを制御サーバ２００に送信しても良い。また、照度センサ３００は、照度データを取得した際に、照度データの変化を検出したとき、照度データを制御サーバ２００へ送信しも良い。
【００３６】
照度センサ３００から送信された照度データは、制御サーバ２００において、後述する照度データデータベースに蓄積され、照明機器５００の制御や、後述する故障検知に用いられる。
【００３７】
次に、図５を参照して、センサモジュール１０について説明する。図５は、センサモジュールを説明する図である。
【００３８】
センサモジュール１０は、人感センサ２５１、照度センサ３００、温湿度センサ３５０に加え、センサドライバ１１、無線モジュール１２、アンテナＩ／Ｆ（インターフェース）１３、アンテナ１４を有する。
【００３９】
センサモジュール１０において、各センサは、それぞれが取得したデータを、センサドライバ１１を介して無線モジュール１２へ渡す。無線モジュール１２は、アンテナＩ／Ｆ１３とアンテナ１４を介して、無線機３０にデータを送信する。
【００４０】
次に、図６を参照して、照明機器５００について説明する。図６は、照明機器を説明する図である。
【００４１】
照明機器５００は、ＬＥＤ照明を用いたものであり、調光機能を有するものとした。
【００４２】
照明機器５００は、ＬＥＤ５０１、ＬＥＤドライバ５０２、無線モジュール５０３、アンテナＩ／Ｆ５０４、アンテナ５００を有する。
【００４３】
照明機器５００は、複数のＬＥＤ５０１を有する。ＬＥＤドライバ５０２は、アンテナ５０５とアンテナＩ／Ｆ５０４を介して制御サーバ２００から調光のための制御データを受信し、ＬＥＤを駆動し、調光する。
【００４４】
照明機器５００は、センサモジュール１０と一体化されていても良い。図７は、センサモジュールと、照明機器とを一体化させた例を示す図である。
【００４５】
図７に示す一体化ユニット５００Ａは、センサドライバ１１とＬＥＤドライバ５０２により共有されるアンテナ７１、アンテナＩ／Ｆ７２、無線モジュール７３を有している。
【００４６】
以下に、図８を参照し、一体化ユニットについてさらに説明する。図８は、一体化ユニットの構成を説明する図である。図８（Ａ）は、一体化ユニット５００Ａの端部の拡大図であり、図８（Ｂ）は、一体化ユニットの側面図である。図８（Ｂ）の側面図は、一体化ユニット５００Ａを図８（Ａ）に示す矢印方向に見た際の側面図である。
【００４７】
一体化ユニット５００Ａでは、２つの人感センサ２５１がＬＥＤ５０１取付けられている。尚、人感センサ２５１は、例えばサーモパイルである。２つの人感センサ２５１は、それぞれの検知方向が異なるように、ＬＥＤ５０１に取り付けられている。
【００４８】
一体化ユニット５００Ａは、各種センサを含むため、照明機器５００と各種センサを、同時に配置することができ、設置の手間、コスト、スペースを削減できる。また、一体化ユニット５００Ａでは、人感センサ２５１の検知方向を異ならせることで温度分布の検知範囲を拡大することができる。
【００４９】
また、一体化ユニット５００Ａは、ＬＥＤ５０１の円周方向に回動可能であり、人感センサ２５１の検知方向を調整できるようになっている。
【００５０】
図９は、一体化ユニットの有する人感センサの検知方向を説明する図である。図９（Ａ）は人感センサの検知方向を説明する第一の図であり、図９（Ｂ）は人感センサの検知方向を説明する第二の図である。
【００５１】
一体化ユニット５００Ａは、例えば図９（Ａ）に示すように、ＬＥＤ管取付器具５０６のＬＥＤ５０１の取付面が傾いている場合等に、図９（Ｂ）に示すよう、一体化ユニット５００Ａを矢印方向に回動させて、人感センサ２５１の検知方向を調整できる。
【００５２】
次に、図１０を参照し、照明機器５００の配置について説明する。図１０は、照明機器の配置の例を示す図である。本実施形態では、照明機器５００は、室内に配置されるものとした。また、室内に配置される複数の照明機器５００は、その一部を一体化ユニット５００Ａにしても良い。
【００５３】
図１０に示すように、照明機器５００を列毎に管理する。図１０では、室内の最も窓に近い窓側の列をＡ列とし、１列にｎ台の照明機器５００が設置されている。また、本実施形態では、Ａ列と隣接する列をＢ列、Ｂ列と室内の奥に向かう側で隣接する列をＣ列というように、列を識別する。
【００５４】
尚、一体化ユニット５００Ａは、例えば照明機器５００と照明機器５００の間に配置されても良い。
【００５５】
これらの照明機器５００と一体化ユニット５００Ａの配置の情報は、制御サーバ２００に予め格納される。
【００５６】
図１１は、制御サーバのハードウェア構成の一例を示す図である。
【００５７】
制御サーバ２００は、それぞれバスＢで相互に接続されている入力装置２１、出力装置２２、ドライブ装置２３、補助記憶装置２４、メモリ装置２５、演算処理装置２６及びインターフェース装置２７を含む。
【００５８】
入力装置２１はキーボードやマウス等を含み、各種信号を入力するために用いられる。出力装置２２はディスプレイ装置等を含み、各種ウインドウやデータ等を表示するために用いられる。インターフェース装置２７は、モデム、ＬＡＮカード等を含み、ネットワークに接続する為に用いられる。
【００５９】
後述する故障検知プログラムは、制御サーバ２００を制御する各種プログラムの少なくとも一部である。故障検知プログラムは例えば記録媒体２８の配布やネットワークからのダウンロードなどによって提供される。故障検知プログラムを記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００６０】
また、故障検知プログラムは、故障検知プログラムを記録した記録媒体２８がドライブ装置２３にセットされるとは記録媒体２８からドライブ装置２３を介して補助記憶装置２４にインストールされる。ネットワークからダウンロードされた故障検知プログラムは、インターフェース装置２７を介して補助記憶装置２４にインストールされる。
【００６１】
補助記憶装置２４は、インストールされた故障検知プログラムを格納すると共に、必要なファイル、データ等を格納する。メモリ装置２５は、コンピュータの起動時に補助記憶装置２４から故障検知プログラムを読み出して格納する。そして、演算処理装置２６はメモリ装置２５に格納された故障検知プログラムに従って、後述するような各種処理を実現している。
【００６２】
（第一の実施形態）
次に、図面を参照して第一の実施形態の制御サーバ２００について説明する。本実施形態の制御サーバ２００は、故障検知の処理を行う際に、照度センサ３００から照度データを取得し照度分布を作成し、予め保持している基準の照度分布と比較する。そして、制御サーバ２００は、比較結果から基準よりも照度の低いエリアを特定し、さらに特定されたエリアの中から故障している照明機器５００又は一体化ユニット５００Ａを特定する。
【００６３】
このように、本実施形態では、照度分布を用いて故障検知を行うため、室内の全ての照明機器５００及び一体化ユニット５００Ａについて、故障しているか否かを確認する必要がなく、故障検知に掛かる時間を短縮できる。
【００６４】
図１２は、第一の実施形態の制御サーバの機能構成を説明する図である。本実施形態の制御サーバ２００は、照明配置データベース２１０、照度データデータベース２２０、照度分布データベース２３０、通信部２４０、消費電力管理部２５０、機器制御部２６０を有する。
【００６５】
照明配置データベース２１０は、照明機器５００の配置に関する情報が格納されている。照度データデータベース２２０は、照度センサ３００により検出された照度データが格納されている。照度分布データベース２３０は、照度分布が格納されている。尚、本実施形態の各データベースは、制御サーバ２００の補助記憶装置２４等に設けられていても良い。各データベースの詳細は後述する。
【００６６】
本実施形態の通信部２４０は、照明機器５００、タップ６００に接続された電気機器、空調機７００から、それぞれが消費した消費電力を受信する。また、通信部２４０は、照明機器５００、タップ６００、空調機７００に対して電力制御を行うための制御信号を送信する。消費電力管理部２５０は、通信部２４０を介して取得した消費電力を管理する。
【００６７】
機器制御部２６０は、照明制御部２７０と、コンセント制御部２８０と、空調制御部２９０とを備えている。
【００６８】
照明制御部２７０は、故障検知部２７３を有し、人感センサ２５１と照度センサ３００のそれぞれから取得したデータに基づき、照明機器５００及び一体化ユニット５００Ａを制御する。照明制御部２７０の詳細は後述する。
【００６９】
コンセント制御部２８０は、タップ６００のタップ口に対して、タップ口のスイッチをオンオフにする制御信号を送信する。空調制御部２９０は、人感センサ２５１による人間の在／不在に応じて空調機７００の電源のオン／オフを制御する。
【００７０】
以下に、図１３乃至図１５を参照し、制御サーバ２００の有する各データベースについて説明する。
【００７１】
図１３は、照明配置データベースの一例を示す図である。本実施形態の照明配置データベース２１０は、情報の項目として、照度センサＩＤ、照度検知エリア、照明ＩＤ、配列を有する。照明配置データベース２１０では、項目「照度センサＩＤ」の値と、その他の項目との値とが対応付けられている。以下の説明では、項目「照度センサＩＤ」の値と、その他の項目との値を含むデータを照明配置データと呼ぶ。
【００７２】
項目「照度センサＩＤ」の値は、照度センサ３００のそれぞれに付与された識別情報であり、照度センサ３００を特定するためのものである。項目「照度検知エリア」の値は、対応する照度センサＩＤが付与された照度センサ３００により照度が検知されるエリアを示す座標である。本実施形態では、項目「照度検知エリア」の値は、４点の座標値である。
【００７３】
項目「照明ＩＤ」の値は、照明機器５００及び一体化ユニット５００Ａのそれぞれに付与された識別情報である。項目「配列」の値は、対応する照明ＩＤが付与された照明機器５００及び一体化ユニット５００Ａが含まれる列を示す。
【００７４】
図１４は、照度データデータベースの一例を示す図である。本実施形態の照度データデータベース２２０は、情報の項目として、照度センサＩＤ、照度検知エリア、照度を有する。照度データデータベース２２０では、項目「照度センサＩＤ」の値と、その他の項目の値とが対応付けられている。以下の説明では、項目「照度センサＩＤ」の値と、その他の項目の値とを含むデータを照度データと呼ぶ。
【００７５】
図１５は、照度分布データベースの一例を示す図である。本実施形態の照度分布データベース２３０は、情報の項目として、作成日時、照度検知エリア、照度を有する。本実施形態の照度分布データベース２３０では、項目「作成日時」の値と、その他の項目の値とが対応付けられている。以下の説明では、項目「作成日時」の値と、その他の項目の値を含むデータを照度分布データと呼ぶ。
【００７６】
図１５の例では、例えば作成日時「２０１５／２／１２／２３：００」と対応する照度分布データから、２０１５年２月１２日２３：００の室内の照度分布が作成される。
【００７７】
また、本実施形態の照度分布データベース２３０には、後述する基準照度分布データが格納されていても良い。この場合、基準照度分布データについては、基準となる照度分布データであることを示すフラグ等が設定されても良い。また、このフラグは、例えば項目「作成日時」の値が予め設定された値である照度分布データに付与しても良い。
【００７８】
次に、図１６を参照して、照明制御部２７０について説明する。図１６は、第一の実施形態の照明制御部の機能を説明する図である。
【００７９】
本実施形態の照明制御部２７０は、センサデータ収集部２７１、点灯制御部２７２、故障検知部２７３を有する。
【００８０】
センサデータ収集部２７１は、人感センサ２５１から出力されるデータと、照度センサ３００から出力されるデータとを収集（取得）する。
【００８１】
点灯制御部２７２は、取得したデータに応じて、照明機器５００及び一体化ユニット５００ＡのＬＥＤ５０１の点灯／消灯及び照度を制御する。具体的には、例えば、点灯制御部２７２は、人感センサ２５１と照度センサ３００からデータを取得したエリアに人間が居ない場合すれば、照明機器５００及び一体化ユニット５００Ａの照度を所定値より低くする。
【００８２】
本実施形態の故障検知部２７３は、室内の照明機器５００及び一体化ユニット５００Ａの故障を検知する。
【００８３】
本実施形態の故障検知部２７３は、照度分布作成部２７４、照度分布比較部２７５、故障判定部２７６、故障通知部２７７を有する。
【００８４】
本実施形態の照度分布作成部２７４は、故障検知処理の実行指示を受け付けると、室内の全ての照度センサ３００から照度データを取得し、照度分布データを作成する。また、本実施形態の照度分布作成部２７４は、予め設定された時刻になると、室内の全てのＬＥＤ５０１を点灯させ、全ての照度センサ３００から照度データを取得し、基準照度分布データを作成する。基準照度分布データは、後述する照度分布データと比較されるものであり、照度分布データベース２３０に格納される。
【００８５】
照度分布比較部２７５は、基準照度分布データと、照度分布データとを比較する。
【００８６】
故障判定部２７６は、比較結果に応じて、照度が所定値より低い照度検知エリアを特定し、このエリア内の照明機器５００及び一体化ユニット５００Ａについて、故障しているか否かを判定する。
【００８７】
故障通知部２７７は、故障と判定された照明機器５００や一体化ユニット５００Ａが存在した場合に、制御サーバ２００の管理者等に故障を通知する。故障通知部２７７は、例えばＰＣ８００等に、故障を検知したこと、故障と判定された照明機器５００や一体化ユニット５００Ａを通知しても良い。
【００８８】
次に、本実施形態の制御サーバ２００の動作について説明する。
【００８９】
始めに、図１７を参照して、基準照度分布データを作成する処理について説明する。図１７は、第一の実施形態における基準照度分布データを作成する処理を説明するフローチャートである。
【００９０】
本実施形態の制御サーバ２００は、予め設定されている基準照度分布データの作成時刻になると、図１７に示す処理を実行する。予め設定された作成時刻とは、例えば深夜等であり、室内がオフィス等である場合にはオフィス内に人がいない時間帯が好ましい。また、例えば室内に窓等がある場合には、日没前の時刻における室内の照度分布に外光が影響する。したがって、作成時刻は、日没後の夜間の時間帯とすることが好ましい。
【００９１】
本実施形態の制御サーバ２００は、点灯制御部２７２により、室内の全てのＬＥＤ５０１を点灯させる（ステップＳ１７０１）。尚、ここでは、全てのＬＥＤ５０１が正常に点灯することを前提としている。
【００９２】
続いて、制御サーバ２００は、規定時間待機する（ステップＳ１７０２）。規定時間とは、ＬＥＤ５０１の照度が、点灯した状態と判断される値を超えるまでの時間である。
【００９３】
続いて制御サーバ２００は、センサデータ収集部２７１により、室内に設置された全ての照度センサ３００から照度データを取得したか否かを判定する（ステップＳ１７０３）。ステップＳ１７０３において、取得していない場合、センサデータ収集部２７１は、取得していない照度センサ３００から照度データを取得する（ステップＳ１７０４）。
【００９４】
ステップＳ１７０３において、全ての照度データを取得した場合、照度分布作成分部２７４は、図１７の処理を開始した時刻を作成日時とし、照度検知エリアと照度とを対応付けた基準照度分布データを作成し、照度分布データベース２３０に格納する（ステップＳ１７０５）。
【００９５】
続いて制御サーバ２００は、点灯制御部２７２により、室内の全てのＬＥＤ５０１を消灯させ（ステップＳ１７０６）、処理を終了する。
【００９６】
本実施形態では、この処理により、故障検知部２７３の処理において比較基準となる基準照度分布データが生成される。
【００９７】
次に、図１８を参照し、故障検知部２７３により、故障した照明機器５００や一体化ユニット５００Ａを検知する処理について説明する。
【００９８】
図１８は、第一の実施形態の故障検知部の処理を説明するフローチャートである。
【００９９】
本実施形態の制御サーバ２００は、故障検知の処理の実行指示を受け付けると、図１８に示す処理を実行する。本実施形態では、故障検知の処理も、基準照度分布データの作成時刻と同様に、室内に人がおらず、外光の影響を受けない夜間の時間帯に行うことが好ましい。
【０１００】
本実施形態の制御サーバ２００は、故障検知の処理の実行要求を受け付けると、点灯制御部２７２により、室内の全てのＬＥＤ５０１に対して、点灯指示を行う（ステップＳ１８０１）。続いて制御サーバ２００は、センサデータ収集部２７１により、室内に配置された全ての照度センサ３００から照度データを取得する（ステップＳ１８０２）。そして制御サーバ２００は、室内の全てのＬＥＤ５０１に対して、消灯指示を行う（ステップＳ１８０３）。
【０１０１】
続いて制御サーバ２００は、照度分布作成部２７４により、ステップＳ１８０２で取得した照度データを用いて照度分布データを作成する（ステップＳ１８０４）。
【０１０２】
続いて制御サーバ２００は、照度分布比較部２７５により、照度分布データベース２３０に格納された基準照度分布データと、ステップＳ１８０４で作成された照度分布データとを比較する（ステップＳ１８０５）。より具体的には、照度分布比較分布２７５は、基準照度分布データと照度分布データにおいて、照度検知エリア毎の照度を比較する。
【０１０３】
続いて制御サーバ２００は、故障判定部２７６により、照度分布データにおいて、基準照度分布データよりも所定値以上照度が低い照度検知エリアが存在するか否かを判定する（ステップＳ１８０６）。より具体的には、例えば故障判定部２７６は、照度分布データにおいて、照度が、基準照度分布データにおいて対応する照度検知エリアの照度の５０％未満である照度検知エリアが存在するか否かを判定する。
【０１０４】
ステップＳ１８０６において、該当する照度検知エリアが存在しない場合、故障判定部２７６は、故障なしと判定し、処理を終了する。
【０１０５】
ステップＳ１８０６において、該当する照度検知エリアが存在する場合、故障判定部２７６は、該当する照度検知エリア内のＬＥＤ５０１について、１本ずつ点灯指示を行い、その都度照度センサ３００から照度データを取得する（ステップＳ１８０７）。
【０１０６】
そして、故障判定部２７６は、点灯指示を行っても照度データの値が変化しないＬＥＤ５０１を有する照明機器５００又は一体化ユニット５００Ａを、故障と判定する（ステップＳ１８０８）。具体的には、例えば、故障判定部２７６は、ＬＥＤ５０１に対して点灯指示を行ってから所定期間以内に照度が所定値以上にならない場合に、故障とみなしてもよい。所定値とは、例えば基準照度分布データを取得した際の照度データの１０％としても良い。
【０１０７】
続いて制御サーバ２００は、故障通知部２７７により、故障があったことと、故障と判定された照明機器５００又は／及び一体化ユニット５００Ａの照明ＩＤを制御サーバ２００の管理者等に通知し（ステップＳ１８０９）、処理を終了する。
【０１０８】
以下に、図１９と図２０を参照して、故障検知の処理についてさらに説明する。図１９は、基準照度分布と照度分布の例を示す図である。図１９（Ａ）は、基準照度分布データに基づく基準照度分布の例を示しており、図１９（Ｂ）は、照度分布データに基づく照度分布を示している。
【０１０９】
図１９（Ａ）と図１９（Ｂ）とを比較すると、図１９（Ｂ）において照度が際立って低い点１９１と点１９２とが存在することがわかる。
【０１１０】
図１９では、図１９（Ｂ）における点１９１の照度データは、図１９（Ａ）の点１９１の照度データの５０％未満とした。この場合、故障判定部２７６は、点１９１の照度データを出力した照度センサ３００の照度検知エリア内に配置された照明機器５００又は一体化ユニット５００Ａが故障しているものと判定する。尚、以下の説明では、故障した照明機器５００又は一体化ユニット５００Ａが配置されていると判定された照度検知エリアを、故障存在エリアと呼ぶ。
【０１１１】
故障判定部２７６は、故障存在エリア内の全ての照明機器５００又は一体化ユニット５００Ａについて、ＬＥＤ５０１を１本ずつ点灯させて照度を検出し、故障している照明機器５００又は一体化ユニット５００Ａを特定する。
【０１１２】
尚、故障判定部２７６は、図１９（Ｂ）における点１９２の照度データは、図１９（Ａ）の点１９２の照度データの５０％未満である場合に、点１９２と対応する照度検知エリア（故障存在エリア）についても同様の処理を行う。
【０１１３】
尚、本実施形態において、故障と判定する際の閾値を、基準照度分布における照度データの５０％未満としたが、閾値はこれに限定されない。本実施形態の閾値は、例えば基準照度分布データを取得した時からの経過時間や、ＬＥＤ５０１の寿命等に応じて任意に設定できても良い。
【０１１４】
以上のように、本実施形態によれば、室内の全てのＬＥＤ５０１（照明）を点灯させた状態で作成した基準照度分布と、故障検知処理の実行指示を受けた際に作成した照度分布とを比較し、基準となる照度よりも所定値以上照度が低いエリアを特定する。そして、本実施形態では、特定されたエリア内の照明についてのみ、ＬＥＤ５０１毎に点灯させて、故障しているＬＥＤ５０１を特定する。
【０１１５】
したがって、本実施形態によれば、照明毎に点灯させて故障か否かを判定する処理を行うエリアを狭くすることができ、故障検知に掛かる時間を短縮できる。
【０１１６】
（第二の実施形態）
以下に、図面を参照して第二の実施形態について説明する。第二の実施形態では、故障存在エリアが所定数以上存在する場合には、室内にある全てのＬＥＤ５０１について、１つずつ点灯させて故障を検知する点が第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１１７】
図２０は、第二の実施形態の故障検知部の処理を説明するフローチャートである。
【０１１８】
図２０のステップＳ２００１からステップＳ２００６の処理は、図１８のステップＳ１８０１からステップＳ１８０６までの処理と同様であるから、説明を省略する。
【０１１９】
ステップＳ２００６において、該当する照度検知エリア（故障存在エリア）が存在する場合、故障判定部２７６は、故障存在エリアの数が所定数以下であるか否かを判定する（ステップＳ２００７）。
【０１２０】
ステップＳ２００７において、故障存在エリアの数が所定数以下であった場合、制御サーバ２００は、ステップＳ２００８へ進む。ステップＳ２００８からステップＳ２０１０までの処理は、図１８のステップＳ１８０７からステップＳ１８０９までの処理と同様であるから、説明を省略する。
【０１２１】
ステップＳ２００７において、故障存在エリアの数が所定数より大きい場合、故障判定部２７６は、室内の全てのＬＥＤ５０１について、１本ずつ点灯させて照度データを取得する処理を行い（ステップＳ２０１１）、ステップＳ２００９へ進む。
【０１２２】
尚、本実施形態では、故障存在エリアの数と比較される所定数は、予め設定されていても良い。この所定数は、例えば部屋の広さなどによって、決められても良い。狭い部屋であれば、故障存在エリアが２つ以上ある場合には、部屋全体について故障検知を行っても良い。また、広い部屋であっても、故障存在エリアの面積の合計が、例えば部屋の面積の半分以上になる場合等には、全てのＬＥＤ５０１に対して１本ずつ故障検知を行っても良い。
【０１２３】
（第三の実施形態）
以下に、図面を参照して第三の実施形態について説明する。第三の実施形態では、室内における外光の影響を考慮した点が第一の実施形態と相違する。よって、以下の第三の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１２４】
図２１は、第三の実施形態の照明制御部の機能を説明する図である。本実施形態の照明制御部２７０Ａは、センサデータ収集部２７１、点灯制御部２７２、故障検知部２７３Ａを有する。
【０１２５】
故障検知部２７３Ａは、第一の実施形態の故障検知部２７３の有する各部に加え、外光境界検出部２７８、影響エリア判定部２７９を有する。
【０１２６】
外光境界検出部２７８は、室内において、外光の影響が大きいエリアと、外光の影響が小さいエリアの境界を検出する。尚、本実施形態において、外光の影響が大きいエリアとは、外光の影響を無視できず、外光の影響があるエリアである。また、本実施形態において、外光の影響が小さいエリアとは、外光の影響がないか、又は外光の影響が無視できる程度のものであるエリアである。
【０１２７】
本実施形態では、外光の影響が小さいと判定された照度検知エリアについてのみ、照度分布を用いた故障検知を行い、外光の影響が大きいと判定された照度検知エリアについては、ＬＥＤ５０１を１本ずつ点灯させて照度データを比較する故障検知を行う。
【０１２８】
影響エリア判定部２７９は、室内の照度検知エリア毎に、外光の影響が大きいエリアであるか、又は外光の影響が小さいエリアであるか否かを判定する。
【０１２９】
以下に、図２２を参照して、室内において、外光の影響が大きいエリアと、外光の影響が小さいエリアの境界について説明する。図２２は、外光の影響が大きいエリアと、外光の影響が小さいエリアの境界を説明する図である。
【０１３０】
室内では、例えば日中等では、窓からの距離が近いほど、窓から外光が差し込み明るくなり、照度も大きくなる。そして、窓からの距離が遠くなるにつれて、差し込む外光の量が少なくなり、外光が届かない場所になると、外光の影響はほぼなくなる。
【０１３１】
すなわち、室内の照度は、室内の全てのＬＥＤ５０１を消灯した場合において、外光が差し込むエリアでは、差し込む外光の量に応じて変化し、外光が届かないエリアでは変化しない。
【０１３２】
本実施形態では、この点に着目し、室内の全てのＬＥＤ５０１を消灯した状態で、隣接する照度検知エリア間の照度の変動が所定値以下となった位置を、外光の影響が大きいエリアと、外光の影響が小さいエリアの境界と見なす。
【０１３３】
尚、以下の説明では、外光は窓から差し込むことを前提として説明するが、外光が差し込む場所は窓に限定されない。本実施形態では、外光が差し込む差し込み部の例を窓としたものであり、外光の差し込み部は窓に限定されない。
【０１３４】
以下に、図２３を参照し、外光境界検出部２７８による、外光の影響が大きいエリアと、外光の影響が小さいエリアの境界を検出する処理について説明する。図２３は、第三の実施形態の外光境界検出部の処理を説明するフローチャートである。
【０１３５】
本実施形態の外光境界検出部２７８は、点灯制御部２７２により、室内の全てのＬＥＤ５０１を消灯させる（ステップＳ２３０１）。続いて外光境界検出部２７８は、センサデータ収集部２７１により、全ての照度センサ３００から照度データを取得したか否かを判定する（ステップＳ２３０２）。ステップＳ２３０２において、取得していない場合、外光境界検出部２７８は、照度データを取得していない照度センサ３００から、照度データを取得し（ステップＳ２３０３）、ステップＳ２３０２へ戻る。
【０１３６】
ステップＳ２３０２において取得した場合、外光境界検出部２７８は、照度センサ３００が配置された列毎に、照度データの平均値を算出する（ステップＳ２３０４）。続いて外光境界検出部２７８は、列番号を示す変数Ｋ＝１とする（ステップＳ２３０５）。
【０１３７】
続いて外光境界検出部２７８は、Ｋ列の照度データの平均値と、Ｋ列と隣接するＫ＋１列の照度データの平均値とを比較し、差分が閾値βより大きいか否かを判定する（ステップＳ２３０６）。尚、ここで、Ｋ＝１の列は、最も窓側に配置された照度センサ３００の列を示している。また、Ｋ＋１列は、窓側から室内の奥側に向かう方向において、Ｋ列と隣接する照度センサ３００の例である（図１０参照）。すなわち、本実施形態では、照度センサ３００を列毎にグループ化し、窓に近い方のグループから順に、照度の平均値を比較している。
【０１３８】
ステップＳ２３０６において、差分が閾値βより大きい場合、外光境界検出部２７８は、全ての列について、隣接する列との照度データの平均値の比較を行ったか否かを判定する（ステップＳ２３０７）。ステップＳ２３０７において、全ての比較が行われていない場合、外光境界検出部２７８は、変数Ｋの値をＫ＋１とし（ステップＳ２３０８）、ステップＳ２３０６へ戻る。
【０１３９】
ステップＳ２３０７において、全ての比較が行われた場合、外光境界検出部２７８は、室内に外光の影響が小さいエリアが存在しないと判断し（ステップＳ２３０９）、処理を終了する。
【０１４０】
ステップＳ２３０６において、差分が閾値β以下である場合、外光境界検出部２７８は、外光の影響が小さいエリアが存在すると判断し、Ｋ列とＫ＋１列の間を境界と検出する（ステップＳ２３１０）。検出された境界は、例えば制御サーバ２００の補助記憶装置２４等に格納される。
【０１４１】
次に、図２４を参照して、本実施形態の故障検知の処理について説明する。図２４は、第三の実施形態の故障検知部の処理を説明するフローチャートである。
【０１４２】
本実施形態の故障検知部２７３Ａは、外光境界検出部２７８により、外光の影響が大きいエリアと、外光の影響が小さいエリアの境界を検出したか否かを判定する（ステップＳ２４０１）。
【０１４３】
ステップＳ２４０１において、境界が検出されなかった場合、故障検知部２７３Ａは、室内に外光の影響が少ないエリアが存在しないものと判断し、後述するステップＳ２４１３へ進む。
【０１４４】
ステップＳ２４０１において、境界が検出された場合、故障検知部２７３Ａは、影響エリア判定部２７９により、照度検知エリアを外光の影響が小さいエリアと、外光の影響が大きいエリアとに分ける（ステップＳ２４０２）。
【０１４５】
続いて、故障検知部２７３Ａは、故障検知対象の照度検知エリアが外光の影響が小さいエリアである場合（ステップＳ２４０３）、ステップＳ２４０４へ進む。また、故障検知部２７３Ａは、故障検知対象の照度検知エリアが外光の影響が小さいエリアでない場合、すなわち、外光の影響が大きいエリアである場合（ステップＳ２４０３）、後述するステップＳ２４１３へ進む。
【０１４６】
尚、本実施形態では、ステップＳ２３０４において、照明機器５００及び一体化ユニット５００Ａを、窓に並行に配置された照度センサ３００の列を１つのグループとして平均値を算出するものとしたが、これに限定されない。平均値を算出する際の照度センサ３００のグループは、さらに細かく分類されていても良い。例えば窓に並行に配置された照度センサ３００を複数のグループに分け、グループ毎に照度の平均値を求めても良い。
【０１４７】
図２４のステップＳ２４０４からステップＳ２４１２までの処理は、図１８のステップＳ１８０１からステップＳ１８０９までの処理と同様であるから、説明を省略する。
【０１４８】
ステップＳ２４０３において、外光の影響が大きいエリアである場合、故障検知部２７３Ａは、エリア内の全てのＬＥＤ５０１について、１本ずつ点灯させて照度データを取得し（ステップＳ２４１３）、ステップＳ２４１１へ進む。
【０１４９】
以上のように、本実施形態によれば、外光の影響の少ないエリアについてのみ、照度分布を用いた故障検知を行い、故障検知に掛かる時間を短縮することができる。また、本実施形態では、外光の影響が考慮されるため、故障検知の処理は、外光がある環境でも行うことができる。外光のある環境とは、例えば日中であったり、夜間でも野外の照明等が外光として差し込むような環境である。
【０１５０】
（第四の実施形態）
以下に、図面を参照して第四の実施形態について説明する。第四の実施形態では、外光の影響を相殺した照度データから照度分布を作成する点が第一の実施形態と相違する。よって、以下の第四の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１５１】
図２５は、第四の実施形態の照明制御部の機能を説明する図である。本実施形態の照明制御部２７０Ｂは、センサデータ収集部２７１、点灯制御部２７２、故障検知部２７３Ｂを有する。
【０１５２】
本実施形態の故障検知部２７３Ｂは、第一の実施形態の故障検知部２７３の有する各部に加え、外光補正部２８１を有する。
【０１５３】
外光補正部２８１は、センサデータ収集部２７１が取得した照度データに対し、外光による影響を相殺する補正を行う。
【０１５４】
図２６は、外光補正部による補正を説明する図である。室内において、全てのＬＥＤ５０１を消灯した状態の照度は、外光の影響によるものと考えられる。
【０１５５】
図２６に示すように、消灯時にある照度センサ３００が取得した照度がａであり、点灯時に同じ照度センサ３００が取得した照度がｂである場合、ＬＥＤ５０１の点灯により増加した照度ｃが、外光の影響を相殺したＬＥＤ５０１の照度であると言える。
【０１５６】
そこで、本実施形態では、故障検知の処理の実行指示が成された際に、始めに全てのＬＥＤ５０１を消灯した状態の照度データを取得し、次に全てのＬＥＤ５０１を点灯した状態で取得した照度データから、消灯時の照度データを減算する。
【０１５７】
図２７は、第四の実施形態の故障検知部の処理を説明するフローチャートである。本実施形態の故障検知部２７３Ｂは、点灯制御部２７２により、室内の全てのＬＥＤ５０１を消灯させる（ステップＳ２７０１）。続いて、故障検知部２７３Ｂは、センサデータ収集部２７１により、室内の全ての照度センサ３００から照度データを取得する（ステップＳ２７０２）。
【０１５８】
続いて、故障検知部２７３Ｂは、点灯制御部２７２により、室内の全てのＬＥＤ５０１を点灯させる（ステップＳ２７０３）。続いて、故障検知部２７３Ｂは、室内の全ての照度センサ３００から照度データを取得する（ステップＳ２７０４）。
【０１５９】
次に、故障検知部２７３Ｂは、外光補正部２８１により、全ての照度データについて、ＬＥＤ５０１の点灯時の照度データとＬＥＤ５０１の消灯時の照度データとの差分である差分照度データを取得する（ステップＳ２７０５）。
【０１６０】
続いて、故障検知部２７３Ｂは、照度分布作成部２７４により、差分照度データから照度分布を作成し（ステップＳ２７０６）、ステップＳ２７０７へ進む。
【０１６１】
ステップＳ２７０７からステップＳ２７１１までの処理は、図１８のステップＳ１８０５からステップＳ１８０９までの処理と同様であるから、説明を省略する。
【０１６２】
以上のように、本実施形態では、外光の影響を相殺した照度データにより、照度分布を作成して故障検知を行う。したがって、本実施形態によれば、外光のある環境であっても、外光に影響されずに故障検知を行うことができる。
【０１６３】
（第五の実施形態）
以下に図面を参照して第五の実施形態について説明する。本実施形態では、故障検知部２７３の機能を制御サーバ２００の外部の装置に設けた点が第一の実施形態と相違する。よって、以下の第五の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１６４】
図２８は、第五の実施形態の制御システムのシステム構成の一例を示す図である。本実施形態の制御システム１００Ａは、制御サーバ２００Ａと、サーバ９００とを有する。制御サーバ２００Ａとサーバ９００とは、例えばネットワークを介して接続されている。
【０１６５】
本実施形態の制御システム１００Ａでは、制御サーバ２００Ａが室内の照度センサ３００の照度データを取得して、サーバ９００へ送信する。サーバ９００は、故障検知部２７３により、照度データから照度分布を作成し、基準照度分布との比較結果に基づき故障存在エリアを特定する。そして、サーバ９００は、制御サーバ２００Ａを介して、故障存在エリア内のＬＥＤ５０１を１本ずつ点灯させた際の照度データを取得し、故障している照明機器５００及び／又は一体化ユニット５００Ａを検知する。
【０１６６】
図２９は、第五の実施形態の制御システムの各装置の有する機能を説明する図である。
【０１６７】
本実施形態の制御サーバ２００Ａは、照明配置データベース２１０、照度データデータベース２２０、通信部２４０、消費電力管理部２５０、機器制御部２６０Ａを有する。機器制御部２６０Ａは、照明制御部２７０Ａと、コンセント制御部２８０、空調制御部２９０を有する。通信部２４０は、サーバ９００との通信も行う。
【０１６８】
照明制御部２７０Ａは、センサデータ収集部２７１と、点灯制御部２７２とを有し、故障検知部２７３は有していない。
【０１６９】
本実施形態のサーバ９００は、照度分布データベース２３０と、センサデータ取得部９０１と、故障検知部２７３と、を有する。
【０１７０】
本実施形態では、例えば所定の時刻になると、サーバ９００は、センサデータ取得部９０１により、制御サーバ２００Ａにおいて収集された照度データを取得し、故障検知部２７３により、基準照度分布を作成する。具体的には、サーバ９００は、制御サーバ２００Ａに対し、全てのＬＥＤ５０１を点灯させて、室内の全ての照度センサ３００の照度データを収集させ、制御サーバ２００Ａが収集した照度データを取得する。そして、サーバ９００は、取得した照度データに基づき、基準照度分布データを作成して照度分布データベース２３０へ格納しておく。
【０１７１】
また、本実施形態では、制御サーバ２００Ａにおいての実行指示が成されると、制御サーバ２００Ａは、照明制御部２７０Ａのセンサデータ収集部２７１により収集した照度データをサーバ９００へ送信する。
【０１７２】
サーバ９００は、制御サーバ２００Ａから受信した照度データに基づき、照度分布を作成し、基準照度分布データと比較した結果に基づく故障検知の処理を行う。故障検知の処理は、上述した通りである。
【０１７３】
サーバ９００は、故障が検知されると、故障が検知されたことと、故障している照明機器５００及び／又は一体化ユニット５００Ａを制御サーバ２００Ａに通知する。
【０１７４】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１７５】
１００、１００Ａ  制御システム
２００、２００Ａ  制御サーバ
２１０  照明配置データベース
２２０  照度データデータベース
２３０  照度分布データベース
２５１  人感センサ
２６０  機器制御部
２７０  照明制御部
２７１  センサデータ収集部
２７２  点灯制御部
２７３  故障検知部
２７４  照度分布作成部
２７５  照度分布比較部
２７６  故障判定部
２７７  故障通知部
２７８  外光境界検出部
２７９  影響エリア判定部
２８０  コンセント制御部
２８１  外光補正部
２９０  空調制御部
３００  照度センサ
３５０  温湿度センサ
４００  電流センサ
９００  サーバ
９０１  センサデータ取得部
【先行技術文献】
【特許文献】
【０１７６】
【特許文献１】特開２０１２−４３７２９号公報
【図１】
2016178043.tif 000003
【図２】
2016178043.tif 000004
【図３】
2016178043.tif 000005
【図４】
2016178043.tif 000006
【図５】
2016178043.tif 000007
【図６】
2016178043.tif 000008
【図７】
2016178043.tif 000009
【図８】
2016178043.tif 000010
【図９】
2016178043.tif 000011
【図１０】
2016178043.tif 000012
【図１１】
2016178043.tif 000013
【図１２】
2016178043.tif 000014
【図１３】
2016178043.tif 000015
【図１４】
2016178043.tif 000016
【図１５】
2016178043.tif 000017
【図１６】
2016178043.tif 000018
【図１７】
2016178043.tif 000019
【図１８】
2016178043.tif 000020
【図１９】
2016178043.tif 000021
【図２０】
2016178043.tif 000022
【図２１】
2016178043.tif 000023
【図２２】
2016178043.tif 000024
【図２３】
2016178043.tif 000025
【図２４】
2016178043.tif 000026
【図２５】
2016178043.tif 000027
【図２６】
2016178043.tif 000028
【図２７】
2016178043.tif 000029
【図２８】
2016178043.tif 000030
【図２９】
2016178043.tif 000031